【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
カメラ（１０２、３０２）から現在見た最初のシーン条件タイプ（４００）用の前記カメラ（１０２、３０２）の画像取込み設定のセットを構成するための装置（３０４）によって実行される方法であって、
前記カメラ（１０２、３０２）から現在見た前記最初のシーン条件タイプ（４００）を検出するステップ（Ｓ０２）と、
前記最初のシーン条件タイプ（４００）用の複数のテスト画像（４０８ａ〜ｅ）を取得するよう前記カメラに指示するステップ（Ｓ０４）であって、前記複数のテスト画像（４００ａ〜ｅ）の各々は前記カメラ（１０２、３０２）により使用される画像取込み設定のセット（４０４ａ〜ｅ）に対応し、少なくとも２つのテスト画像は画像取込み設定の様々なセット（４０４ａ〜ｅ）に対応する、ステップと、
前記複数のテスト画像（４０８ａ〜ｅ）の各々をそれらの対応する画像取込み設定のセット（４０４ａ〜ｅ）および前記最初のシーン条件タイプ（４００）を表すデータと共に格納するステップ（Ｓ０６）と、
前記複数のテスト画像（４０８ａ〜ｅ）から選択された１つのテスト画像（４０８ｃ）に関連する入力を受信するステップ（Ｓ０８）と、
前記最初のシーン条件タイプ（４００）の将来の検出時に前記カメラにより使用される前記最初のシーン条件タイプ（４００）のための画像取込み設定の前記構成されたセットとして前記選択されたテスト画像（４０８ｃ）に対応する画像取込み設定の前記セット（４０４ｃ）を格納するステップ（Ｓ１０）と
を備え、
前記複数のテスト画像（４０８ａ〜ｅ）から選択された１つのテスト画像（４０８ｃ）に関連する入力を受信する前記ステップ（Ｓ０８）は、前記複数のテスト画像（４０８ａ〜ｅ）の各々を格納する前記ステップ（Ｓ０６）よりも後の時点で実行される方法。
【請求項２】
時間的にはまだ後の時点で、前記カメラ（１０２、３０２）が前記最初のシーン条件タイプ（４００）を撮ることを検出するステップと、
前記最初のシーン条件タイプ（４００）用の前記格納された画像取込み設定の構成されたセットを用いて画像を取得するよう前記カメラに指示するステップと
をさらに備える請求項１に記載の方法。
【請求項３】
前記最初のシーン条件タイプ（４００）用の複数のテスト画像（４０８ａ〜ｅ）を取得するよう前記カメラに指示するステップの前に、前記最初のシーン条件タイプ（４００）用の画像取込み設定の構成されたセットが以前に格納されていないことを決定するステップをさらに備える請求項１〜２のいずれかに記載の方法。
【請求項４】
前記カメラ（１０２、３０２）から現在見た前記最初のシーン条件タイプ（４００）は前記カメラ（１０２、３０２）により取得された一時的な画像を分析するステップ、および前記最初のシーン条件タイプ（４００）を表すデータを決定するステップにより検出される請求項１〜３のいずれかに記載の方法。
【請求項５】
前記一時的な画像は、前記一時的な画像の光強度の画像ヒストグラム（４０６）を分析することにより分析される請求項４に記載の方法。
【請求項６】
前記最初のシーン条件タイプ（４００）用の前記複数のテスト画像（４０８ａ〜ｅ）を取得する際に前記カメラ（１０２、３０２）により使用される画像取込み設定の複数のセット（４０４ａ〜ｅ）を選択するステップであって、画像取込み設定の前記複数のセット（４０４ａ〜ｅ）は前記一時的な画像および／または前記最初のシーン条件タイプ（４００）に基づいて選択される、ステップをさらに備える請求項４〜５のいずれかに記載の方法。
【請求項７】
前記一時的な画像に基づいて画像取込み設定の第１のセット（５０４ａ）を選択するステップと、
画像取込み設定の前記第１のセット（５０４ａ）を備える範囲（５０６ａ）を定義するステップであって、前記範囲（５０６ａ）は画像取込み設定の各セットが点（５０２）を定義するパラメータ空間（５００）内の範囲である、ステップと、
前記範囲（５０６）から画像取込み設定の前記セット（４０４ａ〜ｄ）を選択するステップと
を備える請求項６に記載の方法。
【請求項８】
画像取込み設定の前記第１のセット（５０４ａ）は、前記一時的な画像内に存在する参照オブジェクト（１１０、１１２）に関して決定される請求項７に記載の方法。
【請求項９】
前記複数のテスト画像（６００）をそれらの対応する画像取込み設定のセットに基づいてグループ（６０２、６０４、６０６、６０８）に分割するステップと、
前記グループの選択された１つ（６０６）に関連する入力を受信するステップと、
前記選択されたグループ（６０６）から選択された１つのテスト画像（６０６ｉ）に関連した入力を受信するステップと
をさらに備える請求項１〜８のいずれかに記載の方法。
【請求項１０】
前記最初のシーン条件タイプ（４００）は、最初の光の条件タイプ、最初のモーションブラータイプ、最初の画像ノイズ条件タイプ、および前記シーン内のオブジェクトの最初のタイプのうちの少なくとも１つに関連する請求項１〜９のいずれかに記載の方法。
【請求項１１】
画像取込み設定の各セット（４０４ａ〜ｅ）は、明るさ、コントラスト、彩度、ホワイトバランス、ゲイン、フリッカーフリー、露出時間、広ダイナミックレンジのオン／オフ、逆光補正、赤外線カットフィルタのオン／オフのうちの少なくとも１つに関連する設定を含む請求項１〜１０のいずれかに記載の方法。
【請求項１２】
カメラ（１０２、３０２）から現在見た最初のシーン条件タイプ（４００）用の前記カメラ（１０２、３０２）の画像取込み設定のセットを構成するための装置（３０４）であって、
前記カメラ（１０２、３０２）から現在見た前記最初のシーン条件タイプ（４００）を検出するよう構成された検出器ユニット（３０６）と、
前記最初のシーン条件タイプ（４００）用の複数のテスト画像（４０８ａ〜ｅ）を取得するよう前記カメラ（１０２、３０２）に指示するよう構成されたカメラ指示ユニット（３０８）であって、前記複数のテスト画像の各々（４０８ａ〜ｅ）は前記カメラ（１０２、３０２）により使用される画像取込み設定のセット（４０４ａ〜ｅ）に対応し、少なくとも２つのテスト画像は画像取込み設定の様々なセット（４０４ａ〜ｅ）に対応する、カメラ指示ユニットと、
前記複数のテスト画像（４０８ａ〜ｅ）の各々をその対応する画像取込み設定のセット（４０４ａ〜ｅ）および前記最初のシーン条件タイプ（４００）を表すデータと共に格納するよう構成された第１の格納ユニット（３１０）と、
前記複数のテスト画像（４０８ａ〜ｅ）から選択された１つのテスト画像（４０８ｃ）に関連する入力を受信するよう構成された選択受信ユニット（３１２）と、
前記選択されたテスト画像（４０８ｃ）に対応する画像取込み設定のセット（４０４ｃ）を前記最初のシーン条件タイプ（４００）の将来の検出時に前記カメラにより使用される前記最初のシーン条件タイプ（４００）用の画像取込み設定の構成されたセットとして格納するよう構成された第２の格納ユニット（３１４）と
を備え、
前記第１の格納ユニット（３１０）および前記選択受信ユニット（３１２）は、前記選択受信ユニット（３１２）が、前記第１の格納ユニット（３１０）が前記複数のテスト画像（４０８ａ〜ｅ）の各々を格納した後に前記複数のテスト画像（４０８ａ〜ｅ）から選択された１つのテスト画像（４０８ｃ）に関連する入力を受信する（Ｓ０８）よう構成された、装置。
【請求項１３】
請求項１２に記載の装置（３０４）を備えたカメラ（１０２、３０２）。
【請求項１４】
カメラ（３０２）から現在見た最初のシーン条件タイプ用の前記カメラ（３０２）の画像取込み設定のセットを構成するためのシステム（３００ａ、３００ｂ）であって、
前記カメラ（３０２）と、
請求項１２に記載の装置（３０４）と
を備えるシステム。
【請求項１５】
処理能力を有するデバイスにロードされ実行されるときに請求項１〜１１のいずれか一項に記載の方法を実行するコンピュータコード命令を備えるデジタル記憶媒体。